(57)【要約】【課題】患者が横たわる治療椅子、ライト、ダイヤモンドバー等の治療機器を備えた歯科診療室であって、患者が保有するウイルスが周囲に飛散して周りの人に感染しないようにした診療室の提供。【解決手段】開閉引戸１１を有すブース６を設置すると共に該ブース６には換気装置１２を取付け、そしてブース内には上記治療機器の１セットを収容すると共に側面パネル８，８・・の下端には床面との隙間を防止する為にゴム１４を取付けている。【選択図】        図２
2005048376.tif 000002
【特許請求の範囲】
【請求項１】
患者が横たわる治療椅子、ライト、ダイヤモンドバー等の治療機器を備えた歯科診療室において、開閉ドアを有すブースを設置すると共に該ブースには換気装置を取付け、そしてブース内には上記治療機器の１セットを収容すると共に側面パネルの下端には床面との隙間を防止する為に弾性材を取付けていることを特徴とする歯科診療室。
【請求項２】
上記ブースはガラスを嵌めたパネルを枠組みして構成した請求項１記載の歯科診療室。
【発明の詳細な説明】
【０００１】
【発明の属する技術分野】
本発明は歯の治療に際して患者が保有するウイルスが周囲に飛散しないようにした診療室に関するものである。
【０００２】
【従来の技術】
図７は一般的な歯科医院の診療室のレイアウトを表している。都会の歯科医院はビルの一室を利用している場合が多く、入口（イ）を入ると手前には受付カウンター（ロ）が設置され、該受付カウンター（ロ）の隣には待合室（ハ）が設けられ、そして該待合室（ハ）と壁（ニ）を隔てて診療室（ホ）がある。該診療室内には各種治療機器（ヘ）、（ヘ）・・が設置され、又治療器具が配置されている。
【０００３】
歯の治療に際して使用される治療機器（ヘ）は主に患者が横たわる医療椅子、各種のダイヤモンドバー、ライト、及びＸ線装置などがある。そして、これら治療機器（ヘ）は１セットとなって、複数セットが診療室（ホ）に配置され、各セット間には衝立（ト）、（ト）が起立して仕切られている。又は衝立（ト）、（ト）・・の代わりにカーテンで仕切る場合もあり、何ら仕切りを設けていないこともある。
【０００４】
このように、各セット間には衝立（ト）、（ト）が起立しているだけであって、歯の治療に際して患者が保有しているウイルスが周囲に飛散して、隣の患者に感染することがある。医師を補助をしている歯科衛生士や待合室にいる患者にも感染する可能性はあり、さらに歯科医師とて例外ではなく、マスクを掛け手袋を着用していても、感染の可能性を否定することは出来ない。例えばエイズ患者、Ｃ型肝炎患者、Ｂ型肝炎患者であれば、エイズウイルス、Ｃ型肝炎ウイルス、及びＢ型肝炎ウイルスが歯の治療に際して飛散する。
【０００５】
歯の治療に際しては、ダイヤモンドバーを使用して歯の一部を削り取ることが多く、高速回転するダイヤモンドバーによって、唾液や、エイズウイルス、Ｃ型肝炎ウイルス、及びＢ型肝炎ウイルスを含有する血液が飛び散り、これが隣で治療している患者に触れることで感染する可能性がある。すなわち、ダイヤモンドバーの回転によって、ウイルスを周囲に撒き散らしているようなものである。勿論、飛散した唾液や血液が直接付着して感染する場合に限らず、空気感染することもあり得る。
【０００６】
【発明が解決しようとする課題】
このように、従来の歯科診療室には上記のごとき問題がある。本発明が解決しようとする課題はこれら問題点であり、患者が保有するウイルスが周囲に飛散して周りの人に感染しないようにした歯科診療室を提供する。
【０００７】
【課題を解決する為の手段】
本発明に係る歯科診療室には単なる衝立ではなくブースを設置し、このブース内に治療機器の１セットを収容する。ここで、該ブースの具体的な形態は限定しないが、周囲が仕切られることで、独立して閉じた空間が形成される。そしてブースには出入り口を設け、又空気清浄機等の換気装置を備えている。
【０００８】
そして、ブースからウイルスが出ないようにエヤーの換気口にはフイルターを設け、さらにドアを閉じた場合には隙間が生じない構造とし、必要に応じてブース内をマイナス圧とすることも出来る。一方、小さな空間に入ることで圧迫感を感じないように、周りをガラス張り構造としている。以下、本発明に係る実施例を図面に基づいて詳細に説明する。
【０００９】
【実施例】
図１は本発明の歯科診療室のレイアウトを示している実施例である。入口１を入った手前には受付カウンター２が設けられ、患者はこの受付カウンター２で受付けを行い、又治療後には料金の支払いが行われる。そして受付カウンター２の隣には待合室３が設けられ、該待合室３と壁４を隔てて診療室５がある。
【００１０】
そして、診療室５にはブース６，６・・が設置され、該ブース内には１セットの治療機器７，７・・が収容されている。すなわち、患者が治療に際して横たわる治療椅子、Ｘ線装置、ライト、各種ダイヤモンドバー等の器具を収容し、ブース６から出なくても一通りの治療を行うことが出来るように成っている。ブース６には出入りするドアを取付け、ドアを閉じるならば診療室５とは密閉される。
【００１１】
図２はブース６を単独で示している具体例である。本発明は歯科診療室にブース６を設置することを趣旨とするものであり、該ブース６の具体的な形態は限定しない。しかし、ブース６と診療室５とは密閉され、空気の出入りは規制されている。同図に示すブース６は側面パネル８，８・・及び天井パネル９を組合わせた概略立方体を成し、側面パネル８にはガラス１０が嵌められて、ブース内に入った時の圧迫感を回避し、医師の視認性を確保することが出来る。そして、ガラス１０が何らかの事故によって破損した際に治療椅子に横たわっている患者に当ってケガしないようにフイルム貼り構造と成っている。
【００１２】
そして、所定の側面パネル８には引戸１１が取付けられ、該引戸１１は上レールに吊設されて開閉スライドすることが出来る。又、引戸１１にもガラス１０が嵌められていて、ブース６の小さな空間内での圧迫感が回避される。すなわち、三方ないし四方の側面にガラス１０が嵌ることで、ブース６に入らないで直接診療室にいて治療を受ける従来の場合と比較して、圧迫感に関しての差異はほとんどない。
【００１３】
側面パネル８には吸気口となるクリーンモジュールユニット１２ａが取付けられ、外からエヤーをブース内へ送り込むことが出来、一方、対向する側面パネル８にも排気口となるクリーンモジュールユニット１２ｂが取付けられ、ブース内からエヤーを排出することが出来る。ここで、側面パネル８に設けているクリーンモジュールユニット１２ｂにはフイルターが備わっていて、治療に際してブース内に飛散したウイルスが外へ出ないようにされる。
【００１４】
図３はブース６へエヤーが侵入し、該ブース６からエヤーが流出する流れを示している。エヤーは側面パネル８に設けている吸気用のクリーンモジュールユニット１２ａから入って、対向する側面パネル８に取付けている排気用のクリーンモジュールユニット１２ｂから流出するエヤーの流れが作られる。
【００１５】
吸気用のクリーンモジュールユニット１２ａは側面パネル８の上側に取付けられ、排気用のクリーンモジュールユニット１２ｂは側面パネル８の下側に取付けられている為に、空気の流れでブース全体を換気することが出来る。又、本発明のブース６は対向する側面パネル８，８に設けたクリーンモジュールユニット１２ａ，１２ｂを介してエヤーの流出入が行われるだけで、他の箇所からエヤーの流出入がないようにシールされている。
【００１６】
図４は側面パネル８と床面１３とのシール構造を示しているが、側面パネル８の下端にはゴム１４が取着されていて、該ゴム１４が圧縮変形して床面１３との間に隙間を作らないようにしている。従って、該ゴム１４は各側面パネル８，８・・の下端全長にわたって設けられ、しかも圧縮変形し易いように内部に空洞を形成したゴム１４が使用されている。図５は引戸１１と側面パネル８との間のシール構造を示している。引戸１１の両端には側桟１５，１５が取付けられ、そして側面パネル８，８の表面であって入口１８の付近に取着されている隙間防止材１６，１６は引戸１１と接して隙間を無くしている。該隙間防止材１６も圧縮変形し易いように、内部が空洞に成っている。
【００１７】
又、図６は引戸１１と床面１３とのシール構造であり、引戸１１の下端にはゴム１７が取着されている。このゴム１７は床面１３に接して撓み変形し、引戸１１のスライド時に大きな摩擦抵抗はなく、床面１３との間の隙間を防止することが出来る。以上述べたように、本発明の歯科診療室はブースを設置し、このブース内に治療機器を１セットとして収容したものであり、次のような効果を得ることが出来る。
【００１８】
【発明の効果】
本発明の診療室にはブースが設置され、このブース内に収容されている治療機器を使って歯の治療を行うことが出来る。従って、治療に際して周囲にウイルスが飛び散ってもブースから外へ飛散することはない。又ブース内には天井から入って側面にエヤーが流れるようにしていて、ブース側面に取付けているフイルターに吸着される。
【００１９】
従って、ブース内の医師及び歯科衛生士に感染することも抑制される。そして、該ブースは側面パネルの下端にゴムなどの弾性材が取付けられている為に、診療室に置くことで弾性材は適度に圧縮変形して床面との間に隙間を生じることなく密閉される。一方、ブースは弾性材を介して床面に設置される為に該床面をキズ付けることはなく、ブースの移設も簡単に出来る。
【図面の簡単な説明】
【図１】本発明に係る歯科診療室のレイアウトを示す実施例。
【図２】診療室に設置されるブースの具体例。
【図３】ブース内でのエヤーの流れ。
【図４】側面パネルと床面間のシール構造。
【図５】引戸と側面パネル間のシール構造。
【図６】引戸と床面とのシール構造。
【図７】従来の歯科診療室のレイアウト。
【符号の説明】
１  入口
２  受付カウンター
３  待合室
４  壁
５  診療室
６  ブース
７  治療機器
８  側面パネル
９  天井パネル
１０  ガラス
１１  引戸
１２  クリーンモジュールユニット
１３  床面
１４  ゴム
１５  側桟
１６  ゴム
１７  ゴム
１８  入口
【図１】
2005048376.tif 000003
【図２】
2005048376.tif 000004
【図３】
2005048376.tif 000005
【図４】
2005048376.tif 000006
【図５】
2005048376.tif 000007
【図６】
2005048376.tif 000008
【図７】
2005048376.tif 000009